(57)【要約】【課題】  番組の切替えの際に音飛びまたは音切れを防止する「ディジタル放送受信装置および番組の切替え方法」を提供する。【解決手段】  ディジタル放送受信装置１００は、ワンセグメント放送とフルセグメント放送を受信可能であり、ディジタル放送を受信する第１および第２のチューナ１０４、１０５、受信したトランスポートデータの誤り率を検出する誤り訂正部１０９、音声信号と映像信号を再生するデコーダ１１１〜１１４、受信感度が悪化していると判定したときワンセグメント放送を選択し、受信感度が良好であると判定したときフルセグメント放送を選択するように番組の切替えを行う制御部１２２、音声切替処理部１１６、映像切替処理部１１７等を含んで構成される。音声切替処理部１１６は、ワンセグメント放送からフルセグメント放送への切替えの際にフルセグメント放送の音声信号を一定時間通常よりも高速で出力する。【選択図】  図３
2010219586.tif 000002
【特許請求の範囲】
【請求項１】
１つの伝送帯域を複数のセグメントに分割し、少なくとも１つのセグメントを利用した第１の変調方式による第１の番組と、前記少なくとも１つのセグメントと異なるセグメントを利用した第２の変調方式による第２の番組を１つのチャンネルに含むディジタル放送を受信可能なディジタル放送受信装置であって、
ディジタル放送を受信する受信手段と、
受信したディジタル放送の受信感度を検出する感度検出手段と、
受信したディジタル放送から音声信号と映像信号を再生する再生手段と、
前記感度検出手段により検出された受信感度が悪化していると判定したとき第１の番組を選択し、受信感度が良好であると判定したとき第２の番組を選択するように番組の切替えを行う切替え手段と、
前記再生手段により再生された音声信号を出力する音声出力手段と、
前記再生手段により再生された映像信号を出力する映像出力手段とを有し、
前記音声出力手段は、前記切替え手段により第１の番組から第２の番組への切替えが行われるとき、第２の番組の音声信号を一定時間通常よりも高速で出力する、
ディジタル放送受信装置。
【請求項２】
前記音声出力手段は、少なくとも第２の番組の音声信号を記憶するメモリを含み、第１の番組の音声信号が出力された後、前記メモリに記憶された第２の番組の音声信号を一定時間高速で読出して音声出力する、請求項１に記載のディジタル放送受信装置。
【請求項３】
前記音声出力手段は、前記再生手段による第１の番組の音声信号の再生時間と第２の番組の音声信号の再生時間差に基づき前記一定時間を決定する、請求項１に記載のディジタル放送受信装置。
【請求項４】
第１の番組は、ワンセグメント放送による番組であり、第２の番組はフルセグメント放送による番組である、請求項１または２に記載のディジタル放送受信装置。
【請求項５】
前記メモリは、クロック信号に同期してデータの読み書きが可能であり、前記音声出力手段は、前記一定時間、前記クロック信号の周波数を可変することにより第２の番組の音声信号を通常よりも高速で読み出す、請求項２に記載のディジタル放送受信装置。
【請求項６】
１つの伝送帯域を複数のセグメントに分割し、少なくとも１つのセグメントを利用した第１の変調方式による第１の番組と、前記少なくとも１つのセグメントと異なるセグメントを利用した第２の変調方式による第２の番組を１つのチャンネルに含むディジタル放送を受信可能なディジタル放送受信装置の番組の切替え方法であって、
ディジタル放送の受信感度が悪化していると判定したとき第１の番組を選択し、受信感度が良好であると判定したとき第２の番組を選択するように番組を切替えるステップと、
第１の番組から第２の番組に切替えられるとき、第２の番組の音声信号をメモリに蓄積するステップと、
第１の番組の音声信号を出力した後に、前記メモリから読み出された音声信号を通常よりも高速で一定時間読み出して音声出力するステップと、
を有する番組の切替え方法。
【請求項７】
第１の番組は、ワンセグメント放送による番組であり、第２の番組はフルセグメント放送による番組である、請求項６に記載の番組の切替え方法。
【発明の詳細な説明】
【技術分野】
【０００１】
本発明は、ディジタルテレビ放送を受信する機能を備えたディジタル放送受信装置に関し、特に、主階層放送番組（例えば、フルセグメントを利用した固定受信向けサービスの番組）と副階層放送番組（例えば、ワンセグメントを利用した移動体／携帯向けサービスの番組）との切り替え方法に関する。
【背景技術】
【０００２】
地上ディジタル放送は、１チャンネルの伝送帯域を１３のセグメントに分割し、セグメント単位で異なる変調方式を採用することで、固定受信機向けの放送サービス（いわゆるフルセグメント放送）と、移動体／携帯端末向けの放送サービス（いわゆるワンセグメント）放送とを同時に送信することを可能にしている。
【０００３】
図１は、地上ディジタル放送のセグメント構造を示す図である。直交周波数分割多重方式（以下、ＯＦＤＭと称す）は、周波数軸上に狭帯域の搬送波を複数並べ、各搬送波にデータを振り分けて伝送するものであり、移動受信時に一部の搬送波の波形が乱れても、その周波数を使用して伝送するデータに誤りが発生するだけで、他の搬送波からのデータにより補正が可能であり、マルチパス干渉に強い。日本の地上ディジタル放送では、ＯＦＤＭのスペクトルラムを周波数毎に１３のセグメントに分割し、例えば第１から第６セグメントおよび第８から第１３のセグメントがフルセグメント放送に割り当てられ、これらのセグメントは、６４直交振幅変調（６４ＱＡＭ）により変調され、第７セグメントがワンセグメント放送に割り当てられ、ＱＰＳＫ等により変調される。
【０００４】
ＱＡＭとは、多数の振幅偏移変調を直交位相変調することで、位相変化と振幅変化を組み合わせた変調方式であり、１シンボル当たりの情報量を多くすることができるため、伝送効率が良いという利点があるが、高いＣＮ比(Carrier to Noise ratio)が必要となる。したがって、ＱＡＭ変調を用いたフルセグメント放送は、良好な電波状態でなければ、その番組を視聴することができない。
【０００５】
他方、位相偏移変調（ＰＳＫ）は、一定周波数の搬送波の位相を変化させることで変調するものであり、位相の種類を増やすことにより、変調１回当たりの送信するビットを増やすことができる。特に、ＱＰＳＫとは、１回の変調で２ビットを伝送するものである。ＱＰＫＳは、ＱＡＭと比較して伝送できる情報量は少ないが、電波状態が悪くＣＮ比が低い場合でも、情報を伝達でき、ノイズ耐性が高いという利点がある。
【０００６】
車載用の地上ディジタル受信装置では、受信エリアを広げるため、フルセグメント放送とワンセグメント放送の双方を自動的に切り替える階層間受信を行っている。つまり、自車の走行位置や受信環境によって電波状態が異なるため、受信状態が比較的良好な地域では、ノイズ耐性の低いフルセグメント放送を受信しこれを高品位にて出力し、受信状態が悪い地域では、ノイズ耐性の高いワンセグメント放送を受信しこれを出力している。
【０００７】
特許文献１は、ディジタル放送受信機に関し、ワンセグメント放送とフルセグメント放送それぞれの放送時間のずれ量を検出し、そのずれ量に相当する期間だけ繰り返す部分の音声を消去する技術に関する。
【先行技術文献】
【特許文献】
【０００８】
【特許文献１】特開２００８−５２５５号公報
【発明の概要】
【発明が解決しようとする課題】
【０００９】
図２は、従来の地上ディジタル放送受信装置におけるワンセグメント放送とフルセグメント放送の番組の切替え動作を説明する図である。時間期間Ｔ１、Ｔ２、Ｔ３は、ディジタル放送の受信感度が悪化している状態「×」を示し、時間期間Ｔ４、Ｔ５、Ｔ６は、受信感度が良好である状態「○」を示している。地上ディジタル放送受信装置は、受信感度が良好のときフルセグメント放送を出力し、受信感度が悪化すると、ワンセグメント放送を出力するような切替え制御を行っている。従って、時間期間Ｔ１、Ｔ２、Ｔ３では、ワンセグメント放送が選択され、時間期間Ｔ４以降にフルセグメント放送に切替えられる。
【００１０】
ディジタル放送受信装置の設計上、受信したディジタル放送のトランスポート（ＴＳ）データをデコードして再生を始めるまでの時間は、データ処理の関係上、フルセグメント放送の方がワンセグメント放送よりも早くなる。すなわち、図２に示すように、フルセグメント放送のＴＳデータ「１」は期間Ｔ１で再生されるが、ワンセグメント放送のＴＳデータ「１」は、期間Ｔ２で再生される。以後、フルセグメント放送とワンセグメント放送の再生時間の差を再生時間差Ｄという。従って、受信感度が悪化している時間期間Ｔ１、Ｔ２、Ｔ３で再生されたワンセグメント放送の音声信号は、再生時間差Ｄのために時間期間Ｔ２、Ｔ３、Ｔ４でそれぞれ音声出力される。時間期間Ｔ４において受信感度が良好に遷移すると、フルセグメント放送に切替えられるが、時間期間Ｔ４では、再生時間差Ｄのためにワンセグメント放送のＴＳデータ３が音声出力される。そして、時間期間Ｔ５において、フルセグメント放送のＴＳデータ「５」が再生され、これが音声出力されるため、ＴＳデータ「４」の音飛びが発生してしまう。フルセグメント放送とワンセグメント放送の番組が同一であるとき、視聴者にとって、映像データのコマが飛ぶことは動画であるが故に気にならないが、音飛びまたは音切れは気がつきやすく違和感を与えやすい。
【００１１】
本発明は、このような従来の課題を解決し、番組の切替えにおいて音飛びまたは音切れを防止することができるディジタル放送受信装置および番組の切替え方法を提供することを目的とする。
【課題を解決するための手段】
【００１２】
本発明に係るディジタル放送受信装置は、１つの伝送帯域を複数のセグメントに分割し、少なくとも１つのセグメントを利用した第１の変調方式による第１の番組と、前記少なくとも１つのセグメントと異なるセグメントを利用した第２の変調方式による第２の番組を１つのチャンネルに含むディジタル放送を受信可能であって、ディジタル放送を受信する受信手段と、受信したディジタル放送の受信感度を検出する感度検出手段と、受信したディジタル放送から音声信号と映像信号を再生する再生手段と、前記感度検出手段により検出された受信感度が悪化していると判定したとき第１の番組を選択し、受信感度が良好であると判定したとき第２の番組を選択するように番組の切替えを行う切替え手段と、前記再生手段により再生された音声信号を出力する音声出力手段と、前記再生手段により再生された映像信号を出力する映像出力手段とを有し、前記音声出力手段は、前記切替え手段により第１の番組から第２の番組への切替えが行われるとき、第２の番組の音声信号を一定時間通常よりも高速で出力する。
【００１３】
好ましくは前記音声出力手段は、少なくとも第２の番組の音声信号を記憶するメモリを含み、第１の番組の音声信号が出力された後、前記メモリに記憶された第２の番組の音声信号を一定時間高速で読出して音声出力する。好ましくは前記音声出力手段は、前記再生手段による第１の番組の音声信号の再生時間と第２の番組の音声信号の再生時間差に基づき前記一定時間を決定する。第１の番組は、ワンセグメント放送による番組であり、第２の番組はフルセグメント放送による番組である。前記メモリは、クロック信号に同期してデータの読み書きが可能であり、前記音声出力手段は、前記一定時間、前記クロック信号の周波数を可変することにより第２の番組の音声信号を通常よりも高速で読み出すようにしてもよい。
【００１４】
本発明に係るディジタル放送受信装置の番組の切替え方法は、１つの伝送帯域を複数のセグメントに分割し、少なくとも１つのセグメントを利用した第１の変調方式による第１の番組と、前記少なくとも１つのセグメントと異なるセグメントを利用した第２の変調方式による第２の番組を１つのチャンネルに含むディジタル放送を受信可能であり、ディジタル放送の受信感度が悪化していると判定したとき第１の番組を選択し、受信感度が良好であると判定したとき第２の番組を選択するように番組を切替えるステップと、第１の番組から第２の番組に切替えられるとき、第２の番組の音声信号をメモリに蓄積するステップと、第１の番組の音声信号を出力した後に、前記メモリから読み出された音声信号を通常よりも高速で一定時間読み出して音声出力するステップとを有する。
【発明の効果】
【００１５】
本発明によれば、第２の番組から第１の番組の切替えを行う際に、第１の番組と第２の番組の音声信号の再生時間差による音飛びまたは音切れを抑制することができる。
【図面の簡単な説明】
【００１６】
【図１】地上ディジタル放送のセグメント構造を説明する図である。
【図２】従来のフルセグメント放送とワンセグメント放送との番組切替えを説明する図である。
【図３】本発明の実施例に係る車載用地上ディジタルテレビ放送受信装置の構成を示すブロック図である。
【図４】図３に示す音声切替処理部の内部構成を示すブロック図である。
【図５】本実施例におけるワンセグメント放送からフルセグメント放送への切替え動作を示すタイミングチャートである。
【図６】本実施例の受信装置における番組の切替え動作を示すフローチャートである。
【図７】車載用地上ディジタル放送受信装置の他の構成例を示す図である。
【発明を実施するための形態】
【００１７】
以下、本発明の最良の実施の形態について図面を参照して詳細に説明する。
【実施例】
【００１８】
図３は、本発明の実施例に係る車載用ディジタルテレビ放送受信装置の構成を示すブロック図である。以後の説明において、「第１」は、ワンセグメント放送を示し、「第２」は、フルセグメント放送を示すものとする。図３に示すように車載用受信装置１００は、第１のアンテナ１０２と、第２のアンテナ１０３と、第１のアンテナ１０２に接続された第１のチューナ１０４と、第２のアンテナ３に接続された第２のチューナ１０５と、第１のチューナ１０４で受信された信号を復調する第１のＯＦＤＭ復調部１０６と、第２のチューナ５で受信された信号を復調する第２のＯＦＤＭ復調部１０７と、第１および第２のＯＦＤＭ復調部１０６、１０７からの信号を合成するダイバーシティ合成部１０８と、受信したディジタル放送の伝送中に生じる誤りを検出しそれを訂正する誤り訂正部１０９と、多重化されているストリームデータを分離し、音声ストリーム、映像ストリームおよびデータストリームを得るデマルチプレクサ１１０と、第１の番組の音声ストリームをデコードしディジタル音声信号を再生する第１の音声デコーダ１１１と、第２の番組の音声ストリームをデコードしディジタル音声信号を再生する第２の音声デコーダ１１２と、第１の番組の映像ストリームをデコードし映像信号を再生する第１の映像デコーダ１１３と、第２の番組の映像ストリームをデコードし映像信号を再生する第２の映像デコーダ１１４と、データストリームをデコードするデータデコーダ１１５と、第１の番組または第２の番組の音声信号を切替える音声切替処理部１１６と、第１の番組または第２の番組の映像信号を切替える映像切替処理部１１７と、音声切替処理部１１６から出力されたディジタル音声信号をアナログ音声信号に変換するＤ／Ａコンバータ１１８と、アナログ音声信号を出力するスピーカ１１９と、映像切替処理部１１７から出力された映像信号をディスプレイに描画するための描画処理部１２０と、ディスプレイ１２１と、制御部１２２と、ユーザからの入力を受け取る入力部１２３とを有する。
【００１９】
第１および第２のチューナ１０４、１０５は、入力部１２３からのユーザの入力に応じて、選択されたチャンネルの周波数の放送信号を受信し、これを第１および第２のＯＦＤＭ復調部１０６、１０７へ出力する。第１および第２のＯＦＤＭ復調部１０６、１０７は、受信した信号を復調してトランスポートストリームを生成する。ダイバーシティ合成部１０８は、第１のＯＦＤＭ復調部１０６からのトランスポートストリームの位相を制御する位相器１０８ａおよび位相制御されたトランスポートストリームと第２のＯＦＤＭ復調部１０７からのトランスポートストリームを合成する合成器１０８ｂを含み、ダイバーシティ合成されたトランスポートストリームを誤り訂正部１０９へ出力する。ダイバーシティ合成を用いることで受信性能は向上するが、必ずしも必須ではない。
【００２０】
誤り訂正部１０９は、トランスポートストリームから受信したディジタル放送の伝送中の誤り率を算出し、誤り率を示す信号ＢＥＲを制御部１２２へ出力する。制御部１２２は、誤り率と閾値とを比較し、誤り率が閾値を超えるとき、受信感度が悪化していると判定し、閾値以下のとき受信感度が良好であると判定する。閾値は、例えば制御部１２２の不揮発性の書き換え可能なメモリに格納されている。なお、本実施例では、受信感度の判定に誤り率を用いるが、これ以外にも、第１および第２のチューナ１０４、１０５の受信強度が監視することで受信感度を判定することも可能である。
【００２１】
デマルチプレクサ１１０は、入力したトランスポートストリームに多重化されている音声ストリーム、映像ストリームおよびデータストリームを分離し、それぞれのデコーダ１１１、１１２、１１３、１１４、１１５へ出力する。ここで、データストリームには、データ放送用の情報ストリームが含まれ、さらにそこには、ＥＩＴ（Event Information Table）が含まれている。ＥＩＴには、番組の名称、放送日時、番組内容、番組を識別するためのイベントＩＤ等が含まれている。このイベントＩＤをチェックすることで、フルセグメントの番組とワンセグメントの番組が同一か否かを判定することができる。
【００２２】
第１の音声デコーダ１１１は、ワンセグメント放送の番組、すなわち第１の番組の音声ストリームをデコードし、再生されたディジタル音声信号を出力する。第２の音声デコーダ１１２は、フルセグメント放送の番組、すなわち第２の番組の音声ストリームをデコードし、再生されたディジタル音声信号を出力する。第１の映像デコーダ１１３は、ワンセグメント放送の番組の映像ストリームをデコードし、第２の映像デコーダ１１４は、フルセグメント放送の番組の映像ストリームをデコードし、それぞれ映像信号を出力する。データデコーダ１１５は、データストリームをデコードし、その結果を制御部１２２へ出力する。
【００２３】
音声切替処理部１１６は、制御部１２２からの制御信号Ｓに応じて第１の番組または第２の番組の音声信号を選択し、映像切替処理部１１７は、第１の番組または第２の番組の映像信号を選択する。
【００２４】
Ｄ／Ａコンバータ１１８は、音声切替処理部１１６から出力された音声信号をアナログ音声信号に変換し、スピーカ１１９がこれを出力する。描画処理部１２０は、映像切替処理部１１７から出力された映像信号をディスプレイ１２１の表示サイズに適合するようにスケーリング処理等を行い、ディスプレイがこれを出力する。入力部１２３は、マウス、キーボード、タッチパネル等のユーザ入力インターフェースを提供し、入力された情報が制御部１２２へ出力される。
【００２５】
図４は、音声切替処理部１１６の内部構成を示すブロック図である。音声切替処理部１１６は、第１および第２の音声デコーダ１１１、１１２からの音声信号Ｌ１、Ｌ２を蓄積可能なワンセグメント用音声出力バッファ２００およびフルセグメント用音声出力バッファ２１０と、音声出力バッファ２００、２１０から出力される音声信号Ｌ１、Ｌ２のいずれかを出力する音声選択部２２０と、制御信号Ｓに基づき音声出力バッファ２００、２１０を制御するバッファ制御部２３０とを有している。
【００２６】
音声出力バッファ２００、２１０は、好ましくはクロック信号に同期してデータの読み書きが可能なＤＲＡＭまたはＳＲＡＭを用いることができる。バッファ制御部２３０は、制御部１２２からの制御信号Ｓに基づき、音声出力バッファ２００、２１０に対し、信号バスＳ２を介してリード／ライト信号、クロック信号、アドレス信号、イネーブル信号等を供給する。イネーブル信号は、音声出力バッファ２００、２１０の動作を許可し、イネーブル期間中のみ音声信号を蓄積させるようにすることが可能である。さらに本実施例のバッファ制御部２３０は、ワンセグメント放送からフルセグメント放送への番組の切替えを行う際に、再生時間差Ｄに応じて、フルセグメント放送の音声信号を音声出力バッファに記憶させ、ワンセグメント放送の音声信号が出力された後、フルセグメント放送の音声信号が倍速で音声出力されるように音声出力バッファ２１０を制御する。
【００２７】
図５は、音声切替処理部の動作を示すタイミングチャートである。時間期間Ｔ１ないしＴ３では、受信感度が悪く、時間期間Ｔ４ないしＴ６で受信感度は良好であるとする。時間期間Ｔ１において、ワンセグメント放送の番組に切替えられると、再生時間差Ｄのために時間期間Ｔ２でワンセグメント放送のＴＳデータ１が音声出力バッファ２００から読み出され、音声出力される。引き続き、ワンセグメント放送のＴＳデータ２、３が時間期間Ｔ３、Ｔ４で出力される。
【００２８】
時間期間Ｔ４において受信感度が良好と判定されると、再生時間差Ｄを考慮して時間期間Ｔ５においてフルセグメント放送への切替えを指示する制御信号Ｓが音声選択部２２０に供給される。音声選択部２２０は、制御信号Ｓに応答して音声出力バッファ２１０からの音声信号が出力されるように入力を切替える。これと同期して、バッファ制御部２３０は、ＴＳデータ４、５を読み出すアドレス信号を音声出力バッファ２１０に供給し、かつＴＳデータ４、５を読み出すときのクロック信号の周波数を例えば１．２倍に変更する。このクロック信号の周波数を可変する期間は、再生時間差Ｄにほぼ等しくすることが望ましく、これにより、時間期間Ｔ５において、フルセグメント放送のＴＳデータ４、５の音声が倍速で出力され、再生時間差ＤによりＴＳデータ４の音飛びまたは音切れが防止される。そして、時間期間Ｔ６において、ＴＳデータ６の音声信号が出力され、再生時間差Ｄが解消される
【００２９】
次に、本実施例における番組の切替え動作について図６のフローチャートを参照して説明する。始めに、ユーザによって所望のチャンネルが選択され、チャンネルの第２の番組、すなわちフルセグメントの番組の音声信号および映像信号がスピーカ１１９およびディスプレイ１２１から出力されているものとする（ステップＳ１０１）。
【００３０】
誤り訂正部１０９は、選択されたチャンネルのＴＳデータの誤り率を算出し、誤り率を示す信号ＢＥＲを制御部１２２へ出力する。制御部１２２は、誤り率と閾値とを比較し、誤り率が閾値以下であるか否かを判定する（ステップＳ１０２）。誤り率が閾値以下であれば、受信感度は良好であり、フルセグメント放送の番組が出力され続ける。他方、誤り率が閾値を越えると、制御部１２２は、受信感度が悪化したと判定し、ワンセグメント放送の番組への切替えを指示する制御信号Ｓを音声切替処理部１１６および映像切替処理部１１７に出力する（ステップＳ１０３）。
【００３１】
制御信号Ｓに応答して、音声切替処理部１１６の音声選択部２２０は、音声信号の入力を切替え、第２の音声デコーダ１１２からの音声信号Ｌ２の出力を停止し、第１の音声デコーダ１１１からの音声信号Ｌ１を出力する。音声選択部２２０から出力された音声信号Ｌ１は、Ｄ／Ａコンバータ１１８によりアナログ音声信号に変換され、スピーカ１１９からワンセグメント放送の音声が出力される。同様に、映像切替処理部１１７は、ワンセグメント放送の映像信号を選択し、ディスプレイ１２１には、ワンセグメント放送の映像が表示される（ステップＳ１０４）。
【００３２】
制御部１２２は、選択されたチャンネルのＴＳデータの誤り率を監視し（ステップＳ１０５）、誤り率が閾値を超えていればワンセグメント放送の番組が出力され続ける。他方、誤り率が閾値以下になれば、制御部１２２は、受信感度が良好に遷移したと判定し、フルセグメント放送の番組への切替えを指示する制御信号Ｓを音声切替処理部１１６および映像切替処理部１１７に出力する（ステップＳ１０６）。音声選択部２２０は、制御信号Ｓに応答して出力する音声信号の入力を切替える。また、バッファ制御部２３０は、一定時間の間、好ましくは再生時間差Ｄの間、受信感度が良好と判定されたときのフルセグメント放送の音声信号を通常よりも高速のクロック信号で音声出力バッファ２１０から読出させ、音声が倍速（例えば、１．２倍）で出力される（ステップＳ１０７）。これにより、ワンセグメント放送からフルセグメント放送への番組の切替えを行ったときに、再生時間差Ｄによる音飛びまたは音切れを防止することができる。
【００３３】
以上、本発明の好ましい実施の形態について詳述したが、本発明は、特定の実施形態に限定されるものではなく、特許請求の範囲に記載された本発明の要旨の範囲内において、種々の変形・変更が可能である。
【００３４】
例えば、上記実施例では、バッファ制御部２３０が音声信号を倍速で読み出すためのクロック信号を音声出力バッファに供給するようにしたが、図４（ｂ）に示すように、ＰＬＬまたはＤＬＬを用いたクロック発生部２４０から音声出力バッファ２００、２１０に所望の周波数のクロック信号CLKOUT1,CLKOUT2を供給するようにしてもよい。
【００３５】
また、上記実施例では、第１および第２の音声デコーダ１１１、１１２からの音声信号Ｌ１、Ｌ２を音声切替処理部１１６に供給し、そこで音声信号Ｌ１、Ｌ２を選択するようにしたが、これ以外にも、図７に示すように、第１および第２の音声デコーダ１１１、１１２は、制御信号Ｓに応じて動作または非動作となるように構成されてもよい。例えば、ワンセグメント放送に切替える場合には、第１の音声デコーダ１１１を動作させ、第２の音声デコーダ１１２の動作を停止させ、フルセグメント放送に切替える場合には、その反対の動作を行わせる。この場合、音声切替処理部１１６は、図４に示すような音声選択部２２０を必ずしも要さない。
【符号の説明】
【００３６】
１００：地上ディジタルテレビ受信装置      １０９：誤り訂正部
１１０：デマルチプレクサ                  １１１：第１の音声デコーダ
１１２：第２の音声デコーダ                １１３：第１の映像デコーダ
１１４：第２の映像デコーダ                １１６：音声切替処理部
１１７：映像切替処理部                    １２２：制御部
２００、２１０：音声出力バッファ          ２２０：音声選択部
２３０：バッファ制御部
【図１】
2010219586.tif 000003
【図２】
2010219586.tif 000004
【図３】
2010219586.tif 000005
【図４】
2010219586.tif 000006
【図５】
2010219586.tif 000007
【図６】
2010219586.tif 000008
【図７】
2010219586.tif 000009